(57)【要約】      （修正有）【課題】蚊の針が防護布を通過して人体を刺す確率を効果的に低下させた防護布構造を提供する。【解決手段】一層の毛織物層１０と一層の裏地層２０を重ね織りして構成し、該毛織物層に防蚊薬剤に浸す処理を施す。該裏地層には防蚊薬剤処理を施さず人体と該毛織物層を隔てる役割を担い、該毛織物層と該裏地層を重ね生じる織模様隙間交差効果に該毛織物層の不規則毛織物構造を対応させ、その直線的に貫通する隙間の存在を効果的に減少させ、こうして蚊の針が該毛織物層と該裏地層を直接通過できないようにし、人体３０を刺すことを防止する。【選択図】図４
0003106543.tif 000002
【実用新案登録請求の範囲】
【請求項１】
一層の毛織物層と一層の裏地層を重ね織り構成してなり、
該毛織物層は毛織物特性を具えた織物で、縦じま及び横じまを形成する密度の高い模様を編織した布として、表面に緻密で不規則な毛織物構造を具えた布を形成し、
該裏地層は肌触りが良い編織により形成し、
該毛織物層と該裏地層を重ねた後、編織により両者を一体とすると共に、該毛織物層と該裏地層を重ねる時、両者の織模様の隙間が交差するようにし、これに該毛織物層の不規則毛織物構造を対応させて外から直線的に貫通する隙間の存在を減少させることにより、蚊の針が該毛織物層と該裏地層を直接通過できないようにして、蚊が人体を刺すことを防止するようにしたことを特徴とする人体が蚊に刺されることを防止する防護布構造。
【請求項２】
前記毛織物層に防蚊薬剤に浸す処理を施して防蚊效果を具えるようにすると共に、前記裏地層には防蚊薬剤処理を施さずに人体と前記毛織物層を隔てる役割を担わせて、防蚊薬剤と人体との接触を防止したことを特徴とする請求項１記載の人体が蚊に刺されることを防止する防護布構造。
【請求項３】
前記防護布構造を、衣服、帽子、手袋、足カバーなどの着用可能な製品に成型したことを特徴とする請求項１記載の人体が蚊に刺されることを防止する防護布構造。
【考案の詳細な説明】
【技術分野】
【０００１】
本考案は、人体が蚊に刺されることを防止する防護布構造に関する。特に一種の防蚊薬剤処理を施した毛織物状の織物層と肌触りが良いの裏地層を重ね織り成型し、毛織物層と裏地層を重ねることにより生じる織模様隙間交差效果に、毛織物層の不規則毛織物構造を対応させ、蚊の針が直接毛織物層及び裏地層を貫通して人体を刺す確立を効果的に低下させ、極めて優れた防蚊效果を達成する、人体が蚊に刺されることを防止する防護布構造に係る。
【背景技術】
【０００２】
台湾の気候は温暖で湿度が高いため蚊の発生に適しており、屋外の不潔な環境下で蚊が群を成して飛んでいるのを頻繁に見かけるばかりか、室内でさえしばしば蚊を目にする。蚊と言えば、なんともわずらわしい羽音と刺された後の皮膚のかゆみも不快だが、蚊が媒介するテング熱、日本脳炎、西ナイル熱などの伝染病の流行も人体にとって危険であるだけでなく、医療資源にとっての負担である。ともあれ上記伝染病は重症であれば死に至る可能性もあるため、いかにして蚊に刺されることを防ぐかは、公衆衛生に関わる行政機関と社会全体で取組むべき課題である。
蚊に刺されるという問題を解決するためには、環境を清潔に保ち蚊の幼虫の発生を未然に防止することはもちろんだが、業者が開発した防蚊布の活用も有効である。該防蚊布は特殊処理により防蚊薬剤を染込ませた布地で、蚊が近づくことがないため、蚊に刺されることを防ぐことができ、衣服、帽子、靴下などの身体に着用する物品に成型されている。
しかし、このような防蚊布の防蚊效果は布に染込ませた防虫剤によるものであるため、該布を繰り返し洗濯することにより、その防蚊剤は徐々に薄くなり、その防蚊效果は劣化して行く。つまり、このような防蚊布は使用期限がある短期的な防蚊措施であるということで、理想的かつ完璧な設計とは言えない。
さらに、該布は布地に対して直接防蚊薬剤処理を行うため、着用に当たっては、皮膚との間に適当な隔離が必要で、人体が直接この防蚊薬剤に接触すれば、アレルギー反応、不適応症状、或いは中毒などの問題が発生する恐れがある。
【特許文献１】特開２００１−３３６０６８号公報
【考案の開示】
【考案が解決しようとする課題】
【０００３】
公知構造には以下の欠点があった。
すなわち公知の防蚊布の防蚊效果は布に染込ませた防虫剤によるものであるため、該布を繰り返し洗濯することにより、その防蚊剤は徐々に薄まって行き、その防蚊效果は劣化して行く。つまり、このような防蚊布は使用期限がある短期的な防蚊措施であるということで、理想的かつ完璧な設計とは言えない。
さらに、公知の防蚊布は布地に対して直接防蚊薬剤処理を行うため、着用に当たっては、皮膚との間に適当な隔離が必要で、人体が直接この防蚊薬剤に接触すれば、アレルギー反応、不適応症状、或いは中毒などの問題が発生する恐れがある。
本考案は上記構造の問題点を解決した人体が蚊に刺されることを防止する防護布構造を提供するものである。
【課題を解決するための手段】
【０００４】
上記課題を解決するため、本考案は下記の人体が蚊に刺されることを防止する防護布構造を提供する。
すなわち本考案者は、蚊の生理構造に対して研究を行い、蚊はその細長い針により人体皮膚より血液を吸うが、その針を任意に湾曲させることはできず直線的な動作に限られることを発見した。さらに、蚊が血を吸う人体の部分は多くは体毛の少ない部位で、また体毛の多い人は蚊に刺される比率が低いことも分かった。これら発見に基づき、本考案人体が蚊に刺されることを防止する防護布構造は考案された。
それは主に毛織物層に防蚊薬剤処理を施すことにより、その防蚊効果を強化し、同時に裏地層の隔離により人体と防蚊薬剤の接触を防ぎ、防蚊薬剤と人体の接触による不快なアレルギー症状、中毒の発生を防止し、
また本考案の防蚊機能は毛織物層の防蚊薬剤が洗浄により薄まり、消失後も、一定程度の防蚊效果を維持可能で、
すなわち本考案は主に防蚊薬剤処理を施した毛織物状の織物層と肌触りが良い裏地層を重ね織り成型し、毛織物層と裏地層を重ねることにより生じる織模様隙間交差效果を利用し、これに毛織物層の不規則毛織物構造を合わせ、蚊の針が直接毛織物層及び裏地層を貫通し人体を刺す確立を効果的に低下させることを特徴とする人体が蚊に刺されることを防止する防護布構造である。
【考案の効果】
【０００５】
上記のように、本考案は毛織物層と裏地層を重ね織り二層防護布構造を構成する特殊な組成設計により、効果的に蚊の針が貫通することを防ぐことができ、同時に毛織物層において防蚊薬剤処理を施し防蚊効果を向上させることができる。さらに裏地層により人体と毛織物層を適当に隔て、防蚊薬剤による皮膚のアレルギー反応、不適応或いは中毒などの様々な問題を解決可能で、防蚊機能と安全を兼ね備えた実用的な構造である。公知の単に防蚊薬剤に浸しただけの布の効果が短期的で安全に問題がある点を解決しており、現在最も理想的な防蚊布であると言える。蚊に刺されることにより伝染するテング熱などの伝染病に対して極めて大きな効果を発揮する。
【考案を実施するための最良の形態】
【０００６】
図１、２、３に示すように、本考案は主に、一層の毛織物層１０と一層の裏地層２０を重ね合せて構成する。
該毛織物層１０は、毛織物特性を具えた織物で、縦じま及び横じまとなるよう組み合わせた適当な密度の縦・横糸で編織し布とする。こうして表面に緻密で不規則な毛織物構造１を具えた布を形成する。さらに該布に防蚊薬剤に浸す処理を施すことにより、該毛織物層１０は適当な防蚊效果を具えるようになり、かつその防蚊薬剤は少なくとも100回以上の洗浄に耐えられるようになる。
該裏地層２０は肌触りが良い編織により形成し、これにより人体皮膚との接触で過大な摩擦や薬剤との接触に伴う不適応を生ずることはない。さらに該裏地層２０には防蚊薬剤処理を施さないため、人体と該毛織物層１０を隔てる役割を担い、こうして防蚊薬剤と人体との接触による不快なアレルギー反応、中毒などの恐れを払拭することができる。
本考案の防護布構造は、その構成において該毛織物層１０と該裏地層２０を重ねた後、編織により両者を一体とする。かつ該毛織物層１０と該裏地層２０を重ねる時、できるだけ両者の織模様の隙間が交差するようにし、これに該毛織物層１０の不規則毛織物構造１を対応させ、その直線的に貫通する隙間の存在を効果的に減少させる。こうして蚊の針が該毛織物層１０と該裏地層２０を直接通過できないようにする。
【０００７】
次に図４、５に示すように、上記構造において該毛織物層１０表面には不規則毛織物構造１を具え、かつ該毛織物層１０と該裏地層２０が構成する二層重ね構造が生み出す織模様隙間の交差效果により、人体３０に対して極めて優れた防護層を形成する。該毛織物層１０には既に防蚊薬剤処理を施してあるため、蚊はその防蚊薬剤を嫌い近づいて来ないため、予め防蚊效果を達成することができる。
さらに長く使用、数度の洗浄により防蚊薬剤が徐々に薄まった場合でも、該不規則毛織物構造１の緻密で不規則な毛織物構造１に対して、蚊４０は針４１を挿入する隙間を探すことは困難である。すなわち、該毛織物層１０及び該裏地層２０を重ねることにより生じる織模様隙間交差效果は、蚊４０の針４１が該毛織物層１０及び該裏地層２０を直接貫通し、人体に刺さることを防止することができ、蚊が人体を刺すことを防止する機能を効果的に維持可能である。このように本考案構造は優れた防蚊效果を具えた防護布構造で、特に公知の防蚊布料が抱える様々な問題を効果的に解決することができる。
【０００８】
続いて６、７、８、９図に示すように、本考案は該毛織物層１０及び肌触りが良い裏地層２０を重ね織り構成する防護布構造で、そのものが優れた防蚊效果を具える他、さらに該毛織物層１０に防蚊薬剤処理を施し、その防蚊效果をさらに強化した理想的な構造である。
本考案構造を採用し衣服（図６参照）、帽子（図７参照）、或いは手袋（図８参照）、或いは足カバー（図９参照）を製作し、或いはその他にも本考案の毛織物層１０及び裏地層２０重ね織構造による二層防護布構造を利用し様々な製品に成型することができる。これら衣服などは同様の效果を具え、これらを着用することにより防蚊效果を達成することができ、防蚊薬剤が洗浄により薄められ、消失後も、該毛織物層１０及び該裏地層２０により構成される二層重ね防護布構造により、蚊が直接人体を刺す機會を効果的に防止することができる。その效果は公知の単に防蚊薬剤に浸しただけの布に比べ優越しており、現在最も理想的な防蚊布であると言える。蚊に刺されることにより伝染するテング熱などの伝染病に対して極めて大きな効果を発揮する。
【図面の簡単な説明】
【０００９】
【図１】本考案の全体構造指示図である。
【図２】本考案の構造分解指示図である。
【図３】本考案不規則毛織物構造、毛織物層、裏地層、人体の構造関係指示図である。
【図４】本考案の構造関係指示図である。
【図５】蚊の針が不規則毛織物構造、毛織物層、裏地層を直接通過することができず人体に到達することができない様子を示す構造関係指示図である。
【図６】本考案を衣服に実施した構造指示図である。
【図７】本考案を帽子に実施した構造指示図である。
【図８】本考案を手袋に実施した構造指示図である。
【図９】本考案を足カバーに実施した構造指示図である。
【符号の説明】
【００１０】
１  不規則毛織物構造
１０  毛織物層
２０  裏地層
３０  人体
４０  蚊
４１  蚊の針
【図１】
0003106543.tif 000003
【図２】
0003106543.tif 000004
【図３】
0003106543.tif 000005
【図４】
0003106543.tif 000006
【図５】
0003106543.tif 000007
【図６】
0003106543.tif 000008
【図７】
0003106543.tif 000009
【図８】
0003106543.tif 000010
【図９】
0003106543.tif 000011